(57)【特許請求の範囲】
【請求項１】
異なる大きさＬ，Ｍ，Ｓの三種類のカセットテープが挿入されるカセットホルダに、互いに所定間隔隔てて取り付けられた第１〜第３のフォトインタラプタと、
前記カセットホルダに回動自在に配設されたレバーと、
前記レバーに一体に形成され、Ｓカセットテープ装着時に該カセットテープの端部により押圧される第１の当接部、Ｍカセットテープ装着時に該カセットテープの端部により押圧される第２の当接部およびＬカセットテープ装着時に該カセットテープの端部により押圧される第３の当接部と、
前記レバーに取り付けられ、前記第１の当接部の押圧時に第１の回転角度で回動して前記第１のフォトインタラプタを覆い、前記第２の当接部の押圧時に第２の回転角度で回動して前記第１および第２のフォトインタラプタを覆い、前記第３の当接部の押圧時に第３の回転角度で回動して前記第１、第２および第３のフォトインタラプタを覆う反射板とを備え、
前記第１〜第３のフォトインタラプタの被覆状態に基づいてカセットテープの種類を判別するカセット判別機構を具備したことを特徴とする記録・再生装置。
【発明の詳細な説明】
【０００１】
【発明の属する技術分野】
本発明は異なる大きさの複数のカセットテープの記録、再生を行う記録・再生装置に関する。
【０００２】
【従来の技術】
一般にカセットテープの記録、再生を行う記録・再生装置は、Ｌカセットテープ（ラージサイズ）、Ｍカセットテープ（ミドルサイズ）、Ｓカセットテープ（スモールサイズ）各々に対応できるように構成されている。
【０００３】
この種の記録・再生装置には、カセットテープの誤挿入を防止する誤挿入防止機構や、カセットテープの種類（Ｌカセットテープ、Ｍカセットテープ、Ｓカセットテープ）を判別するカセットテープ判別機構や、前記各カセットテープが装着されたことを検出するカセットイン検出機構や、装着されたカセットテープのリッドロックを解除するリッドロック解除機構や、カセットテープを挿脱位置から記録再生位置まで移送する移送手段等が設けられている。
【０００４】
【発明が解決しようとする課題】
従来のカセットテープ判別機構は３種類のカセットテープを判別する機構の構成が複雑なものであった。
【０００９】
本発明は上記の点に鑑みてなされたものでその目的は、簡単で小型のカセットテープ判別機構を備えた記録・再生装置を提供することにある。
【００１０】
【課題を解決するための手段】
上記課題を解決するための本発明に係る記録・再生装置は、異なる大きさＬ，Ｍ，Ｓの三種類のカセットテープが挿入されるカセットホルダに、互いに所定間隔隔てて取り付けられた第１〜第３のフォトインタラプタと、前記カセットホルダに回動自在に配設されたレバーと、前記レバーに一体に形成され、Ｓカセットテープ装着時に該カセットテープの端部により押圧される第１の当接部、Ｍカセットテープ装着時に該カセットテープの端部により押圧される第２の当接部およびＬカセットテープ装着時に該カセットテープの端部により押圧される第３の当接部と、前記レバーに取り付けられ、前記第１の当接部の押圧時に第１の回転角度で回動して前記第１のフォトインタラプタを覆い、前記第２の当接部の押圧時に第２の回転角度で回動して前記第１および第２のフォトインタラプタを覆い、前記第３の当接部の押圧時に第３の回転角度で回動して前記第１、第２および第３のフォトインタラプタを覆う反射板とを備え、前記第１〜第３のフォトインタラプタの被覆状態に基づいてカセットテープの種類を判別するカセット判別機構を具備したことを特徴としている。
【００１５】
【発明の実施の形態】
以下、本発明による記録・再生装置の実施の形態を、詳細に説明する。最初にカセットテープの構造について簡単に説明し、次に記録・再生装置について説明する。
【００１６】
図１〜図４に示すように、記録・再生装置は大きく分けると、記録・再生を行なう記録・再生部１と、カセットテープの挿脱位置から記録・再生位置までカセットテープを移送する移送部（カセットコンパートメント）２とに分かれるので、記録・再生部１と移送部２とに大きく分け、更にに細かく分けて各ユニット等ごとに説明する。
Ａ．カセットテープ
本発明は大きさの異なるＬ，Ｍ，Ｓのカセットテープのいずれをも使用できるようにしたことに特徴があるので、まず、カセットテープについて簡単に説明する。
【００１７】
Ｌ，Ｍ，Ｓのカセットテープを図５，６に示す。いずれのカセットテープについても図中６ａは供給側のリール、６ｂは巻取側のリール、６ｃは開閉しうるリッド、６ｄはカセット内メモリである。本体の厚さはＳカセットテープ５の厚さがｔ1なのに対してＬ，Ｍカセットテープ３，４の厚さはｔ2であって厚くなっている。図５（ａ），（ｂ），（ｃ）に示すように本体の背面側の下面には中心線に対して対称な位置に夫々同一ピッチＰをおいて一対の位置決め穴６ｅが形成されている。
Ｂ．記録・再生部
記録・再生部１は、図１，図２に示すように、カセットテープを支持する支持手段７と、カセットテープが支持手段７上に載ったことによってカセットテープのリールのロックを解除するリールロック解除ユニット８と、カセットテープのリールに嵌まり込む一対のリール台をＬ，Ｍ，Ｓのカセットテープのリール間ピッチに合うようにスライドさせてＬ位置，Ｍ位置，Ｓ位置に設定するリール台ユニット９と、カセットテープのカセット内メモリ６ｄに当接して当該カセットテープの情報を取り出すためのＭＩＣ（Ｍｅｍｏｒｙ  ｉｎ  Ｃａｓｓｅｔｔｅ）端子ブロックをリール台に連動させて動かすためのＭＩＣ連動ユニット１０と、リール台及びＭＩＣ端子ブロックを中間の位置であるＭ位置で止めるためのストッパユニット１１と、カセットテープ内のテープを記録・再生用のヘッド・ドラムに巻くローディングとアンローディングとを行なわせるローディングユニット１２と、ローディングされたテープの張力を調整するテンションレギュレータ１３と、ローディングされたテープに送り力を与えるキャプスタンユニット１４とで構成されている。
（ａ）リール台ユニット
リール台ユニット９は、記録・再生部１における基板１５の上下面にわたって設けられている。リール台を載せるためのスライドベース１６をスライドさせる一対のガイド手段が、相互になす角度が略９０度の「ハ」の字状に設けられている。即ち、夫々のガイド手段として、本実施の形態では丸棒状のガイドロッド１７が基板１５の上面に取り付けられている。そして、夫々のガイドロッド１７にはスライドベース１６がスライド自在に取り付けられている。即ち、スライドベース１６の一方側に形成したガイド孔にガイドロッド１７が挿通され、またスライドベース１６の他方側には押え金具１８の両端がネジを介して取り付けられ、スライドベース１６に形成されたバネ受部１６ａが押え金具１８と基板１５との間の空間に挿入されている。ガイド金具１８の下面には、Ｌ，Ｍ，Ｓ位置と対応する位置にスライドベース１６のバネ受部１６ａがきたときにバネ受部１６ａを下方へ付勢するように三位置で下方へ突出する板バネが取り付けられている。
【００１８】
スライドベース１６の上には、図１に示すように夫々リールモータ２０を介してリール台２１が取り付けられている。
【００１９】
スライドベース１６がスライドする範囲の下方には図２に示すように、基板１５の一部をくり抜いてスライドベース１６のスライド範囲を拘束するためのスリット１５ａが形成されている。そして、スライドベース１６における前記ガイド孔を形成した部分が下方へ突出して直方体形状の当接部を構成し、当接部がスリット１５ａ内にはいり込んでいる。
【００２０】
次に、これらの一対のスライドベース１６をスライドさせて一対のリール台２１のピッチを大きくしたり小さくしたりする機構を説明する。基板１５の下面には、一対のガイドロッド１７のなす角度を二等分する直線に沿ってスライド自在にプレート２２が設けられる。
【００２１】
またこのプレート２２を前記直線に沿って往復スライドさせるための手段がプレート２２に連動連結されている。
（ｂ）ＭＩＣ連動ユニット
カセットテープのリールにリール台が嵌まり込んだときにカセットテープの背面に設けられたカセット内メモリ６ｄと接触して電気的に識別するコンタクトスイッチを保持するＭＩＣ端子ブロックが前述したように設けられており、このＭＩＣ端子ブロックをスライドベース１６と連動させるためのＭＩＣ連動ユニット１０について説明する。
【００２２】
図２に示すようにレール部材４０の両端が２本のネジを介して基板１５の上面に固定され、レール部材４０には一方のガイドロッド１７と略平行なガイド長孔４０ａが形成されている。図１，図２に示すＭＩＣ端子ブロック４１を保持するため、ブロック台４２が設けられ、ブロック台４２には一対の摺動ピン４３が下方へ突出して埋設され、これらの摺動ピン４３，４３はガイド長孔４０ａに挿通されて一方の摺動ピン４３の下端には直接に止め輪が嵌められている。ガイド長孔４０ａに沿って一対の摺動ピン４３が摺動することで、ブロック台４２はリール台２１上に載るカセットテープの背面と平行な状態でガイド長孔４０ａに沿ってスライドする。
【００２３】
次に、このブロック台４２をスライドベース１６のスライドに伴って連動させるための手段について説明する。基板１５の上面に立設した支柱４４に、樹脂アーム４５の基端部が回動自在に設けられ、止め輪により抜け止めされている。樹脂アーム４５の先端側には前記支柱４４を通る直線に沿って長孔４５ａが形成されている。この長孔４５ａには他方の前記摺動ピン４３の下端が挿通され、摺動ピン４３には止め輪が取り付けられている。
【００２４】
樹脂アーム４５の下面には凹部が形成され、これによって凹部と側面との間には厚さが一定のヘリが形成される。前記一対のスライドベース１６には前記樹脂アーム４５側に突出して延長部が設けられ、この延長部には一対の挟持ピン４６が立設されている。そしてこの一対の挟持ピン４６の間に樹脂アーム４５のヘリが挟まれ、樹脂アーム４５がスライドベース１６に追従して回動するようになっている。またスライドベース１６がＬ，Ｍ，Ｓ位置の三位置で止まったときに前記ブロック台４２を夫々所定の方向へ押圧するために、樹脂アーム４２と取付台４７との間には圧接バネ４８が取り付けられている。
（ｃ）ストッパユニット
前記リール台ユニット９における一対のスライドベース１６とブロック台４２とを、Ｌ位置とＳ位置との中間位置であるＭ位置で機械的に停止させるためのストッパユニット１１は、基板１５の下にはリール台２１を停止させるための第一ストッパとしてのストッパの動作機構が配置され、基板１５の上にはブロック台４２を停止させる第二ストッパとしてのストップレバー５０が配置され、前記ストッパとストップレバー５０とが基板１５の下に設けられた駆動手段としてのプランジャに連動連結されている。
（ｄ）支持手段
次に、基板１５上でＬ，Ｍ，Ｓカセットテープを支持する支持手段７について説明する。
【００２５】
図１、図２に示すように基板１５の中央部に一対の位置決め支持ピン６９が立設されている。一対の位置決め支持ピン６９の間隔は、Ｌ，Ｍ，Ｓカセットテープ３，４，５における一対の位置決め穴６ｅ間のピッチＰと同一に設定されている。夫々の位置決め支持ピン６９は、位置決め穴６ｅに挿入されることでカセットテープの位置決めを行なう位置決め部としてのテーパ部６９ａと、テーパ部６９ａの下方の外周に段付けして形成されるとともにＳカセットテープ５の下面を支持する支持部６９ｂとで構成される。
【００２６】
この支持部６９ｂの高さはＳカセットテープ５の下面の高さとなり、Ｌ，Ｍカセットテープ３，４には位置決め支持ピン６９の支持部６９ｂがＬ，Ｍカセットテープの下面に接触しないように逃げるために、大径部６ｆが形成されている。これはＬ，Ｍ，Ｓカセットテープにおけるテープ幅が同一でテープのセンターを一致させるためにＬ，Ｍカセットテープの下面の高さをＳカセットテープの下面の高さよりも低く設定し、Ｌ，Ｍ，Ｓカセットテープの上面が略同一高さとなるようにしたものである。ここでは説明の便宜上から、Ｓカセットテープの下面の高さを高レベルと呼び、Ｌ，Ｍカセットテープの下面の高さを低レベルと呼ぶ。前記支持部６９ｂの高さは高レベルである。
【００２７】
Ｓカセットテープの前面側は前記一対の位置決め支持ピン６９で位置決めされてかつ支持されることから、背面側の左右を支持するための高可動支持ピン７０が一対のスライドベース１６の夫々に立設して設けられる。この高可動支持ピン７０は高レベルの高さに設定されている。
【００２８】
また、Ｌ，Ｍカセットテープの前面側を支持するために、前記一対の位置決め支持ピン６９の両側には一対の低支持ピン７１が基板１５に立設されている。この低支持ピン７１はＳカセットテープと干渉しない位置に配置されており、低レベルの高さに設定されている。さらに、Ｍカセットテープの背面側を支持するための低可動支持ピン７２も、一対のスライドベース１６の夫々に立設して設けられている。この低可動支持ピン７２は、Ｍカセットテープ４における支持可能範囲の中に配置され、低レベルの高さに設定されている。そして、スライドベース１５がＭ位置を占めるときに前記高可動支持ピン７０がＭカセットテープ４の下面と干渉しないようにするため、Ｍカセットテープ４の下面には凹部６ｎが形成されている。
【００２９】
Ｌカセットテープの背面側の左右を支持するため、低固定支持ピン７４が基板１５に立設されている。Ｌカセットテープは大きいために更にもう２ヶ所の位置決めも兼ねて前記位置決め支持ピン６９と同様に、低固定支持ピン７４はテーパ部７４ａと段付けによる支持部７４ｂとで構成されている。支持部７４ｂの高さは低レベルに設定されている。一方、Ｌカセットテープ３の背面側の左右にはテーパ部７４ａが入り込む凹部６ｇが形成されている
（ｅ）リールロック解除ユニット
Ｌ，Ｍ，Ｓのカセットテープの下面には、図５にリールロックを解除する解除穴６ｈが夫々設けられている。これは、カセットテープが支持手段７に載せられていないときには、テープがたるんでしまうのを防止するために図示しないリールロック手段によりリールロックが行なわれており、記録・再生時にはこのリールロックを解除する必要があることから設けたものである。そして、リールロックを解除するためにリールロック解除ユニット８が設けられている。
【００３０】
すなわち、支持手段７上にＬ，Ｍ，Ｓのカセットテープ３，４，５を載せたときにリールロックを解除する解除穴６ｈが占める位置にはＬ解除ピン７５，Ｍ解除ピン７６，Ｓ解除ピン７７が配置されている。Ｌ解除ピン７５は基板１５上に固定された低レベルよりも少し低い取付台４７に固定されている。取付台４７の下方には固定軸７８が固着されている。この固定軸７８には第一レバー７９の基端部が回動自在に結合され、第一レバー７９の先端には上方へ突出するＳ解除ピン７７が固着されている。固定軸７８には第二レバー８０の基端部も回動自在に結合され、第二レバー８０の先端には上方へ突出するＭ解除ピン７６が固着されている。Ｌ，Ｍ，Ｓ解除ピン７５，７６，７７は同一直線上に配置されるため、第一レバー７９はＬ字形になっている。第一，第二レバー７９，８０は下方へのみ回動自在であり、第一，第二レバー７９，８０を上方へ向かって付勢する付勢手段としてのバネが設けられている。そして、第一，第二レバー７９，８０が水平状態になった位置で第一，第二レバー７９，８０の回動を止めるストッパは取付台４７が兼用している。
【００３１】
第二レバー８０の隣には第三レバー８３が配置されるとともにその基端部が固定軸７８に回動自在に支持されている。この第三レバー８３についても、上方へ向かって付勢する付勢手段としてのバネが設けられ、取付台４７がストッパの役割を兼用している。第三レバー８３の先端にはアーム８５の基端部が軸を介して回動自在に取り付けられ、アーム８５の先端には軸を介して案内ローラ８８が回転自在に支持されている。アーム８５及び案内ローラ８８は樹脂で形成され、第三レバー８３とアーム８５との間には、アーム８５を下方へ付勢する付勢手段としてのバネが設けられている。第三レバー８３にはその一部を直角に曲げてストッパ部が形成される一方、アーム８５にはストッパ部に当接して非使用時の案内ローラ８８の位置決めをするためのストッパ受が形成されている。また、後述する第１の押圧拘束ピンに押されたアーム８５をバネの付勢力に抗して回動させて直立の状態に姿勢変更させかつその状態で第三レバー８３が下方へ回動するのを拘束することになるように、前記第１の押圧拘束ピンの先端を受ける受部が形成されている。一方、基板１５の下方に位置する前記プレート２２の上面には第２の拘束ピンと、第２の拘束ピンよりも少し短い第１の押圧拘束ピンが立設され、基板１５に形成されたスリットを介して基板１５の上方へ突出している。前記第２の拘束ピンは第一，第二レバー７９，８０の先端部の下方をプレート２２と共に移動してＳ解除ピン７７，Ｍ解除ピン７６の下方への回動を拘束する。一方、第１の押圧拘束ピンは一対のリール台２１がＭ位置からＳ位置まで移動する際に、プレート２２と共に移動して前記受部を押圧し、アーム８５を直立させて支持する。
（ｆ）ローディングユニット，テンションレギュレータ
リール台ユニット９の背面側には記録・再生用のヘッド・ドラム９３が設けられており、このヘッド・ドラム９３の一部にテープを巻き付けるローディングユニット１２と、ローディングしたテープに適度なテンションを与えるテンションレギュレータ１３と、ローディングしたテープに送り力を与えるキャプスタンユニット１４とが設けられている。
【００３２】
アンローディング時には一対の位置決め支持ピン６９，６９の近傍にあってローディング時には広がるローラ９４，９５，９６，９７が設けられ、これらのローラは歯車列を介してローディングモータ９８に連動連結されている。そして、これらのうちのローラ９５，９６を取り付けた部分には傾斜ピン９９，１００が固着されている。このほか、移動することのないローラ１０１，１０２が設けられている。
【００３３】
そして、ローラ９４には図２２中の矢印方向へ付勢することによってローディングされたテープ６ｉに張力を与えるバネが設けられ、テンションレギュレータ１３を構成している。
（ｇ）キャプスタンユニット
最後に、ローディングしたテープに送り力を与えるキャプスタンユニット１４について説明する。基板１５の下面に図示しないキャプスタンモータが取り付けられ、キャプスタンモータのキャプスタン軸１０４が基板１５の上方へ突出している。そして、回転自在なピンチローラ１０５がキャプスタン軸１０４へ圧接されている。
【００３４】
圧接のための構成を説明する。図１の中央上部に示すように、基板１５の上には支柱１０６が立設され、支柱１０６には歯車１０７とらせん状の溝を形成した樹脂製の円柱カム１０８が回転自在に支持されている。そして溝内に入り込む図示しない突起を内周面に形成した樹脂製の円筒体１０９が円柱カム１０８にかぶせて設けられている。円筒体１０９には、先端にピンチローラ１０５を取り付けた固定アーム１１０の基端部が固着される一方、先端に長孔１１１を有する可動アーム１１２の基端部が回動自在に結合され、固定アーム１１０と可動アーム１１２との間にはバネ１１３が設けられている。一方、基板１５上にはプランジャ１１４が取り付けられ、プランジャ１１４をＯＮ，ＯＦＦすることによって移動するスライダー１１５が一対のピン１１６を介して水平方向へ往復移動自在に設けられる。そして、スライダ１１５に立設されたピン１１７が長孔１１１に遊嵌されている。前記円柱カム１０８に形成された歯車１０７は前記ローディングユニット１２の歯車列に連動連結されている。
【００３５】
Ｃ．カセットコンパートメント（移送部）
カセットコンパートメント２は、Ｌ，Ｍ，Ｓの三種類のカセットテープを挿脱位置から記録再生位置の前記支持手段７上まで移送する目的で設けられている。
【００３６】
図３，図４に示すように、カセットコンパートメント２は、カセットテープを挿脱位置から記録・再生位置まで移送する移送ユニット２００と、カセットテープと共に移送されるカセットホルダの内部へＬ，Ｍ，Ｓのカセットテープを個別に案内するとともに誤挿入を防止する挿入ガイド手段２０１と、カセットテープをカセットホルダの内部へ挿入したときにカセットテープの前面のリッドが開けるようにカセットテープの下面両側に配置されたリッドロック解除レバーを押すためのリッドロック解除手段２０２と、カセットテープをカセットホルダの内部へ挿入したときにカセットテープの種類を判別するカセットテープ判別手段２０３と、カセットテープがカセットホルダの内部へ確実に挿入されたことを検出するカセットイン検出手段２０４と、カセットホルダが水平移動から降下しはじめる際にカセットテープの前面のリッドを開くリッド開閉手段２０５と、カセットクランプ機構３６０（図示省略）とで構成されている。以下、各手段ごとに説明する。
【００３７】
（ａ）移送ユニット
まず、移送ユニット２００について説明する。図２４に示すように、左側板２０６ａと右側板２０６ｂと天井板２０６ｃとで本体２０６が構成され、左側板２０６ａと右側板２０６ｂとの下部が連結板２０７を介して連結されている。左側板２０６ａ及び右側板２０６ｂの外側の下部には樹脂からなるレール２０８がネジを介して夫々取り付けられ、レール部２０８ａとラック部２０８ｂとが形成されている。左側板２０６ａ及び右側板２０６ｂには低速板２０９が夫々移動自在に設けられている。即ち、低速板２０９の下部が前記レール部２０８ａに載せられる一方、上部の前後に固着されたピン２０９ａ，２０９ｂが左右側板２０６ａ，２０６ｂに形成されたガイド孔２２７，２１１に挿入されて移動自在になっている。そして、低速板２０９の上にネジを介してラック２１２が取り付けられ、ラック２１２にはラック部２１２ａが形成されている。
【００３８】
上記の左右の低速板２０９を同期して前後方向へ往復移動させるため、天井板２０６ｃの上に駆動手段が設けられている。即ち、天井板２０６ｃに移送モータ２１３が取り付けられ、移送モータ２１３の駆動力を低速板２０９に伝えるために、移送モータ２１３の出力軸に固着したピニオン２１４と、歯車２１５と、歯車２１５と一体に回転するウォーム２１６と、ウォームホィール２１７と、ウォームホィール２１７と一体の歯車２１８と、歯車２１９，２２０，２２１とが設けられている。
【００３９】
尚ウォームホィール１７と歯車１８の間には過大な力に対して歯車を保護するためのリミッターが設けられている。
【００４０】
左右側板２０６ａ，２０６ｂと低速板２０９との間には、低速板２０９の２倍の早さで２倍の距離を前後方向へ移動する樹脂製の高速板２２２が設けられている。高速板２２２から側方へ突出する一対の突起部２２２ａ，２２２ｂが低速板２０９のガイド孔２０９ｃ，２０９ｄに遊嵌されることにより、高速板２２２がガイドされている。そして、低速板２０９が移動することによって前記ラック部２０８ｂ上を転がることになる歯車２２３が低速板２０９の内側に回転自在に支持され、この歯車２２３の上部と噛み合うラック部２２２ｃが高速板２２２に下向きに形成されている。つまり、低速板２０９が移動して低速板２０９に取り付けられた歯車２２３がラック部２０８ｂ上を転がると、歯車２２３と噛み合うラック部２２２ｃを有する高速板２２２は低速板２０９の２倍の速さで移動することになる。
【００４１】
本体２０６の内部にはＬ，Ｍ，Ｓの三種類のカセットテープを保持するためのカセットホルダが設けられている。
【００４２】
カセットホルダ２２４は、金属板からなる上ホルダ２２４ａと、樹脂からなるとともにバネ２２６により上ホルダ２２４ａへ付勢される下ホルダ２２４ｂと、前蓋２２４ｃとで構成されている。前蓋２２４ｃは、軸２２５を介して上ホルダ２２４ａに回動自在に支持されており、図示しないバネの付勢力によって前方へ回動するように付勢されている。そして、図示しないストッパ部に当接して回動が拘束されている。上下ホルダ２２４ａ，２２４ｂの両側にはピンを介して回動自在な一対のガイドローラ２２８，２２９が夫々設けられ、一対のガイドローラ２２８，２２９は左右側板２０６ａ，２０６ｂに形成されたＬ字形のガイド孔２１１，２１０に挿通され、更に、高速板２２２，２２２に形成された傾斜溝２２２ｄ，２２２ｅに夫々遊嵌されている。高速板２２２における傾斜溝２２２ｄ，２２２ｅの上部にガイドローラ２２８，２２９を遊嵌した状態で高速板２２２が背面側へ移動すると、傾斜溝２２２ｄ，２２２ｅが戻るように斜めに形成されていることから、ガイドローラ２２８，２２９はガイド孔２１１，２１０の水平部に沿って水平移動したのちに、鉛直部に沿って降下する。このときＬ，Ｍ，Ｓの三種類のカセットテープは、前記支持手段７の上に載ることになる。つまり、ガイドローラ２２８，２２９は、傾斜溝２２２ｄ，２２２ｅ内の上部に位置してガイド孔２１１，２１０内の水平部に沿って背面側へ移動したあと、更に傾斜溝２２２ｄ，２２２ｅが水平移動すると、固定されたガイド孔２１１，２１０と水平移動する傾斜溝２２２ｄ，２２２ｅとの交点に沿って下方へ移動することになる。
【００４３】
カセットホルダ２２４をカセットテープを挿脱するための挿脱位置と記録再生を行うための記録・再生位置とで停止させ、あるいは一対のリール台のピッチ変更が完了していない場合にカセットホルダ２２４が水平移動から鉛直移動に変わる屈曲位置でカセットテープの降下を一時的に中止させるため、歯車２２１の下方の天井板２０６ｃにはフォトインタラプタが設けられる一方、歯車２２１の下面には反射板が貼着され、移送モータ２１３のＯＮ，ＯＦＦを制御している。
【００４４】
（ｂ）挿入ガイド手段および誤挿入防止機構
次に、挿入ガイド手段および誤挿入防止機構２０１について説明する。図４に示すように連結板２０７の上には左右方向へのびる軸２３０，２３１が支持され、軸２３０，２３１にはＳカセットテープを案内するガイド部材２３２と、Ｍカセットテープを案内するガイド部材２３３とが夫々回動自在に設けられる。夫々のガイド部材２３２，２３３にはガイド部２３２ａ，２３３ａが形成され、ガイド部２３２ａ，２３３ａが下がる方向へのみガイド部材２３２，２３３が回動自在に設けられ、ガイド部２３２ａ，２３３ａが上がる方向へガイド部材２３２，２３３を付勢するバネ２３４が設けられている。
【００４５】
ここで誤挿入防止機構の原理を図７、図８とともに述べる。図７、図８において、３０１、３０２は左右に配置され、軸３０３、３０４を中心として回転可能であるガイドである。ロックレバー３０５、３０６はガイド３０１、３０２とピン３０７、３０８を介して連結されている。３０９、３１０はロック部材であり、軸３１１の左右に圧入されている。従ってロック部材３０９が回転するとロック部材３１０も回転し、又ロック部材３１０が回転するとロック部材３０９も回転する。
【００４６】
又ロックレバー３０５、３０６のカセット挿入側端には、ばね３１２、３１３がかかっている。又ロック部材３０９、３１０の上端部には、ばね３１４、３１５がかかっている。ばね力は３１２、３１３の力がロック部材３０９、３１０のばね３１４、３１５より大きい。
【００４７】
またロック部材３０９、３１０の下端部の突起はロックレバー３０５、３０６の一部に入り込んでいる。
【００４８】
まずカセット挿入時にガイド３０１、３０２が同時に押された時には、ガイド３０１、３０２が回転することによりロックレバー３０５、３０６が矢印方向に動き、ロック部材３０９、３１０が同時に回転してロックが解除され、ガイド３０１、３０２はカセットが挿入可能となる高さまで回転する。
【００４９】
もし片側のガイド３０１のみが押された時には、ロックレバー３０５は動くが３０６が動かないため、ロック部材３０９は回転しない。このためロックは解除せずガイド３０１はカセットが挿入不可能な位置で停止する。
【００５０】
上記ガイド３０１、３０２の内幅寸法を小カセット幅と同じ幅にすることにより、小カセットが正しい位置（図のセンターにカセットのセンターを合わせた時）に挿入された時には、小カセットはガイドに触れずにカセットホルダー内に挿入される。もし小がずれて挿入された時には、片側のガイドのみ押されることになり、上述したようにガイドがカセット挿入可能な高さまで回転しないため、挿入が阻止される。
【００５１】
また大カセットが挿入された場合には左右のガイド３０１、３０２が同時に押され、挿入は可能となる。
【００５２】
又カセットがイジェクトされる場合には小かガイド３０１、３０２に触れずに排出される。又大カセットはイジェクトされる時には左右のガイド３０１、３０２を同時に押して排出されるため、ロックは解除され、カセットは排出される。
【００５３】
図９は上記機構を２組配置して、３種類のカセットの誤挿入を防止する機能を果たす機構を示しており、図４の挿入ガイド手段２０１の要部断面を図示している。図９において３２０はＳカセット、Ｍカセット共通のロック部材であり、上部にＳカセット用のガイド板３２１（図示省略）が配設されるものである。また３２２はＬカセット用のロック部材である。
【００５４】
（ｃ）リッドロック解除手段
次に、リッドロック解除手段２０２を図４、図１１、図１２、図１３に基づいて説明する。尚図１１は下ホルダ２２４ｂを裏面から見た図、図１２はカセット挿入口を後から見た図である。
【００５５】
カセットホルダ２２４における下ホルダ２２４ｂの左右に、カセットテープの下面両側に配置されたリッドロック解除レバー６ｊを押すための樹脂製の回動台２３５，２３６が軸２３７，２３８を介して回動自在に支持されている。回動台は下ホルダ２４４ｂにおける左右の対称な位置に設けられているため、左側についてのみ説明する。回動台２３５，２３６には回動台２３５，２３６の内側を上方へ向かって付勢するためのバネ３５０が設けられ、内側が少し持ち上がった状態で回動を止めるための図示しないストッパ部が回動台２３５，２３６に形成される一方、下ホルダ２２４ｂには図示しないストッパ受部が形成されている。回動台２３５の内側上面にはＳカセットテープの両側下端を案内するためのガイド部２３５ａとＳカセットテープのリッドロック解除レバー６ｊを押すための解除用突起部２３５ｂとが形成されている。一方、回動台２３６の内側上面にはＭカセットテープ用のガイド部２３６ａと解除用突起部２３６ｂとが形成され、外側上面にはＬカセットテープ用の解除用突起部２３６ｃが形成されている。Ｌカセットテープ用のガイド部がないのは、下ホルダ２２４ｂの側部がガイド部として作用するからである。
【００５６】
すなわち一対のガイド部２３５ａ間の距離はＳカセットテープ５の寸法に、一対のガイド部２３６ａ間の距離はＭカセットテープ４の寸法ニ、各々等しく形成され、また一対の解除用突起部２３６ｃ間の距離はＬカセットテープ３の両側のリッドロック解除レバー間の距離に等しく形成されている。
【００５７】
したがって図１３（ａ）の位置にあるリッドロック解除レバー６ｊは、図１２（ｂ）〜（ｄ）に示すカセット挿入時に各解除用突起部２３５ｂ，２３６ｂ，２３６ｃによって図１３（ｂ）のように押されるので、リッドロックが解除され、リッドの開放が可能な状態にされる。
【００５８】
尚Ｌカセットテープ３およびＭカセットテープ４の挿入時、Ｓカセットテープ５用のガイド部２３５ａおよび解除用突起部２３５ｂ図１２（ｃ），（ｄ）のように、カセットテープ本体により押されて下側に回動し下ホルダ２２４ｂの下側に潜り込むので、カセット挿入を妨げることはない。
【００５９】
（ｄ）カセットテープ判別手段
次に、カセットテープ判別手段２０３について説明する。このカセットテープ判別手段２０３は、Ｌ，Ｍ，Ｓの３種類のカセットテープを図４、図１４、図１５、図１６に示す２個の判別機構により判別できるようにしたものである。
【００６０】
図４に示すように、上ホルダ２２４ａの前面右側の上部にはカセットテープを判定するためのマイクロスイッチ２５３が設けられ、マイクロスイッチ２５３を押すためのレバー２３７が軸２２５に回動自在に設けられるとともにレバー端２３７ａが下方へ突出している。
【００６１】
そして、レバー端２３７ａを下方へ向かって付勢するためのバネ２３８が設けられている。一方、上ホルダ２２４ａの前面左側の上部には、カセットテープを判定するためのマイクロスイッチ２５４が同様にして設けられている。２３９はレバー、２３９ａはレバー端、２４０はバネである。前蓋２２４ｃが閉じたときにレバー端２３７ａ，２３９ａに干渉しないように、前蓋２２４ｃにはスリット３６１、３６２が形成されている。
【００６２】
前記マイクロスイッチ２５３、２５４は、常時（すなわちカセットテープの非挿入時でありレバー端２３７ａ，２３９ａが下方に位置するとき）はレバー２３７、２３９によって押されてオン状態にあり、カセットテープが挿入されることによってレバー端２３７ａ，２３９ａが押され、レバー２３７、２３９が上方に回動したときにオフされるスイッチである。
【００６３】
レバー２３７とレバー２３９間の距離は、図１４に示すように、Ｓカセットテープ５の幅寸法よりも大きく、Ｌカセットテープ３の幅寸法よりも小さく、且つレバー２３７と２３９のうちいずれか一方はＭカセットテープ４に当接する位置に配設されている。
【００６４】
このような構成により、例えばＬカセットテープ３を挿入した場合はレバー端２３７ａ，２３９ａがともに押されてマイクロスイッチ２５３、２５４がともにオフとなって挿入されたカセットテープがＬカセットテープ３であることが判別（検知）される。
【００６５】
またＭカセットテープ４を挿入した場合は、図１４の場合であればレバー端２３９ａのみが押され、レバー端２３７ａは押されないので、マイクロスイッチ２５４がオフ、２５３がオンとなって、挿入されたカセットテープがＭカセットテープ４であることが判別（検知）される。
【００６６】
またＳカセットテープ５を挿入した場合は、レバー端２３７ａ，２３９ａがともに押されないため、マイクロスイッチ２５３、２５４はともにオン状態にあり、これによって挿入されたカセットテープがＳカセットテープ５であることが判別（検知）される。
【００６７】
尚前述したレバー２３７と２３９の間の距離は、両者のうちいずれか一方のレバーがＭカセットテープ４に当接するように配設する限りにおいてはＳ〜Ｍ（ただしＳ，Ｍはカセットテープの幅寸法）の範囲でも、Ｍ〜Ｌ（ただしＭ，Ｌはカセットテープの幅寸法）の範囲でもよい。
【００６８】
（ｅ）カセットイン検出手段
次に、カセットイン検出手段を図４、図１７、図１８、図１９に基づいて説明する。下ホルダ２２４ｂの左下面の背面側には、カセットテープの左側が確実にカセットホルダ２２４に挿入されたことを検出するために反射板２４１を取り付けたレバー２４２がピン２４３を介して回動自在に取り付けられ、レバー２４２の先端の当接部２４２ａが下ホルダ２２４ｂの上方へ突出している。そして、このレバー２４２を前面側へ付勢するバネ２４４が設けられている。カセットテープにより当接部２４２ａが背面側へ押されたときに反射板２４１が覆うことになる下ホルダ２２４ｂの下面の位置には、にフォトインタラプタ２４５が取り付けられている。レバー２４２の当接部２４２ａを押すことになるカセットテープの押圧部６ｋは、図６に示すようにＬ，Ｍ，Ｓカセットテープの中心線から右方へ等しい距離だけ離れた位置に夫々形成されている。
【００６９】
一方、下ホルダ２２４ｂの右下面の背面側には、カセットテープの右側がカセットホルダ２２４に確実に挿入されたことを検出するために、反射板２４６を取り付けたレバー２４７がピン２４８を介して回動自在に取り付けられ、レバー２４７に一体に形成された当接部２４７ａ，２４７ｂ，２４７ｃが下ホルダ２２４ｂの上方へ突出している。そして、このレバー２４７を前方へ付勢するバネ２４９が設けられている。ホルダ２２４の中央から当接部２４７ａ，２４７ｂ，２４７ｃまでの距離は、図６に示すＬ，Ｍ，Ｓカセットテープの中心線から左方の押圧部６ｍまでの距離Ｌ1，Ｌ2，Ｌ3と対応している。
【００７０】
カセットテープの右側がカセットインしたことだけでなくカセットインしたカセットテープの種類も判別できるように、カセットテープが当接部２４７ａ〜２４７ｃを背面側へ押したときに反射板２４６が覆うことになる下ホルダ２２４ｂの下面の位置には３つのフォトインタラプタ２５０ａ，２５０ｂ，２５０ｃが取り付けられている。
【００７１】
ここでＬ，Ｍ，Ｓカセットテープの種類判別の様子を図１９に模式化して示した。Ｓカセットテープ５の場合には図１９（ａ）のように当接部２４７ｃが押され、フォトインタラプタ２５０ａのみが反射板２４６で覆われる。またＭカセットテープ４の場合は図１９（ｂ）のように当接部２４７ｂが押され、レバー２４７の回動角度が増してフォトインタラプタ２５０ａ，２５０ｂが覆われる。またＬカセットテープ３の場合は図１９（ｃ）のように当接部２４７ａが押され、レバー２４７の回動角度はさらに増してフォトインタラプタ２５０ａ，２５０ｂ，２５０ｃの全てが覆われる。
【００７２】
このようにフォトインタラプタ２５０ａ，２５０ｂ，２５０ｃのうちいずれが覆われるかによって３種類のカセットテープを容易に判別することができる。
【００７３】
尚Ｍカセットテープ４の挿入時、当接部２４７ｃはリッドから離れた位置となるので、リッドの開閉の邪魔にならない。またＬカセットテープ３の挿入時、当接部２４７ｃ，２４７ｂはリッドから離れた位置となるので、リッドの開閉の邪魔にならない。
【００７４】
（ｆ）リッド開閉手段
次にリッド開閉手段２０５を図４に基づいて説明する。カセットホルダ２２４における下ホルダ２２４ｂの背面側には、リッドオープナー２５１が一対のピン２５２を介して回動自在に結合され、図示しないスプリングを介して下方へ付勢されている。リッドオープナー２５１は、左右の下部に形成された一対の図示しないストッパ部が下ホルダ２２４ｂに当接することで回動が拘束されている。リッドオープナー２５１における右側の背面下部には図２５に示すように傾斜したテーパ面２５５が形成される一方、本体２０６の右側板２０６ｂにおける背面側の内側にはカセットホルダ２２４が後退して下降する際に前記テーパ面２５５を押圧してバネの付勢力に抗してリッドオープナー２５１を上方へ回動させるために、図２５に示すように樹脂製の押圧部材２５６が取り付けられている。押圧部材２５６の先端には、テーパ面２５５に当接する円弧部が形成されている。そして、リッドオープナー２５１が上方へ回動する際に、カセットテープのリッド６ｃの下面と係合してリッド６ｃを開くための係合部２５１ａがリッドオープナー２５１の右側下部に前面側へ突出して設けられている。
【００７５】
（ｇ）カセットクランプ機構
次にカセットクランプ機構３６０を図１７と、原理を説明する図２０、図２１とともに説明する。上ホルダ２２４ａの裏面ほぼ中央には、カセットテープが前蓋２２４ｃを押して挿入されたとき、該前蓋２２４ｃに当接するとともに挿入されたカセットテープに所定のクランプ力を与える板ばね３６０ａが取り付けられている。
【００７６】
また軸２２５に近い上ホルダ２２４ａと下ホルダ２２４ｂの間の左右両側には、前記より大きいサイズのＭカセットテープ、Ｌカセットテープが挿入されたときに、該テープをクランプする力を与えるためのコイルバネ３６０ｂが設けられている。
【００７７】
尚前記コイルバネ３６０ｂは図４、図１７においてはばね２２６で示してある。またコイルバネ３６０ｂは板ばね３６０ａよりもばね力は強く構成されている。いまＳカセットテープ５が図２０のように挿入された場合、該Ｓカセットテープ５の厚さは薄いので、コイルバネ３６０ｂの力に抗することなく挿入され、板ばね３６０ｂの力により図示矢印方向にクランプ力が与えられ、バランスよく保持される。
【００７８】
またＬカセットテープ３を図２１のように挿入する場合、該Ｌカセットテープ３の厚さは厚いので、前蓋２２４ｃとともに上ホルダ２２４ａがコイルバネ３６０ｂの力に抗して持ち上げられ（このときガイドローラ２２８の取り付け部を支点として上ホルダ２２４ａが回動し）て挿入される。
【００７９】
このため強力コイルバネ３６０ｂの力が図示矢印付近をバランスよく、Ｌカセットテープ３に作用し、確実にクランプすることができる。
【００８０】
このように挿入されるカセットテープの厚さ、大きさに適したクランプ力を作用させることができる。
【００８１】
Ｄ．カセットコンパートメントの作用
（ａ）挿入ガイドからの挿入
図２３に示すようにカセットテープをカセットコンパートメント２の挿脱位置からカセットホルダ２２４の内部へ挿入する。このとき、Ｓカセットテープ５は図４および図１１に示すガイド板３２１および一対のガイド部２３２ａに案内させ、Ｍカセットテープ４は一対のガイド部２３２ａをバネ２３４の付勢力に抗して押し下げるとともに一対のガイド部２３３ａに案内させ、Ｌカセットテープ３はガイド部２３２ａ，２３３ａを押し下げるとともに本体２０６の左側板２０６ａ、右側板２０６ｂに案内させて挿入する。
【００８２】
この際Ｍカセットテープ４を正しくない姿勢、例えば斜めに挿入しようとした場合、一対のガイド部２３２ａのいずれか一方しか押さないため、図９のロック部材３２０がロック位置のままとなり、一対のガイド部２３２ａが両方押し下げられることはない。
【００８３】
またＬカセットテープ３の場合も同様に一対のガイド部２３３ａのいずれか一方しか押さないため、図９の部材３２２がロック位置のままとなり、一対のガイド部２３３ａが両方押し下げられることはない。尚図１０に各カセットテープ３、４、５が挿入ガイド手段２０１に正しく挿入された様子を示す。
【００８４】
これによって正しくない姿勢でカセットテープが挿入されることは確実に防止される。
【００８５】
カセットテープがカセットホルダ２２４内に挿入されると、挿入したカセットテープがＬ，Ｍ，Ｓの夫々の場合には、下ホルダ２２４ｂの側面，ガイド部２３６ａ，ガイド部２３５ａに案内されたＬ，Ｍ，Ｓカセツトテープ３，４，５は、図１２のように解除用突起部２３６ｃ，２３６ｂ，２３５ｂによってリッドロック解除レバー６ｊが押圧された状態になるので、リッド６ｃの開閉操作が可能になる。
【００８６】
（ｂ）カセットテープの判別
カセットテープの種類は、カセットホルダ２２４内へのカセットテープの挿入時にカセットテープ判別手段２０３がこれを検出する。即ち、例えばＬカセットテープ３を挿入した場合はレバー端２３７ａ，２３９ａがともに押されてマイクロスイッチ２５３、２５４がともにオフとなって挿入されたカセットテープがＬカセットテープ３であることが判別（検知）される。
【００８７】
またＭカセットテープ４を挿入した場合は、図１４の場合であればレバー端２３９ａのみが押され、レバー端２３７ａは押されないので、マイクロスイッチ２５４がオフ、２５３がオンとなって、挿入されたカセットテープがＭカセットテープ４であることが判別（検知）される。
【００８８】
またＳカセットテープ５を挿入した場合は、レバー端２３７ａ，２３９ａがともに押されないため、マイクロスイッチ２５３、２５４はともにオン状態にあり、これによって挿入されたカセットテープがＳカセットテープ５であることが判別（検知）される。
【００８９】
（ｃ）カセットインの検出
カセットテープは図２４のようにカセットホルダ２２４内に挿入され、確実にカセットホルダ２２４に挿入されたことは図１８のカセットイン検出手段２０４がこれを検出する。即ち、Ｌ，Ｍ，Ｓのカセットテープ３，４，５の左側が確実に挿入されたことは単一のフォトインタラプタ２４５と反射板２４１とにより検出される。
【００９０】
ここで、反射板２４１を取り付けたレバー２４２の当接部２４２ａは、Ｌ，Ｍ，Ｓカセットテープ３，４，５における中心線から等しい距離に位置する押圧部６ｋによって押される。一方、カセットテープの右側が確実に挿入されたことは、３つのフォトインタラプタ２５０ａ〜２５０ｃと反射板２４６とにより検出される。
【００９１】
また、反射板２４６を取り付けたレバー２４７の３つの当接部２４７ａ，２４７ｂ，２４７ｃはＬ，Ｍ，Ｓカセットテープ３，４，５における中心線から異なる距離に位置する押圧部６ｍによって押される。
【００９２】
そして、Ｌ，Ｍ，Ｓカセットテープの検出は、Ｓカセットテープ５の場合には図１９（ａ）のようにフォトインタラプタ２５０ａのみが反射板２４６で覆われ、Ｍカセットテープ４の場合は図１９（ｂ）のようにフォトインタラプタ２５０ａ，２５０ｂが覆われ、Ｌカセットテープ３の場合は図１９（ｃ）のようにフォトインタラプタ２５０ａ，２５０ｂ，２５０ｃの全てが覆われることによって行われる。
【００９３】
（ｄ）カセットテープの移送
カセットテープ判別手段２０３とカセットイン検出手段２０４とによりカセットテープの種類とカセットテープの確実な押入が検出されると、カセットテープを移送する移送ユニット２００と一対のリール台のピッチを増減するリール台ユニット９とが同時に動き出す。
【００９４】
まず、図４および図２２〜図２６に示すように、移送モータ２１３が回転すると、その回転力が複数の歯車を介して左右一対のラック２１２に伝わり、夫々の低速板２０９がレール部２０８ａに沿って背面側へ低速で移動し、このときに低速板２０９上の歯車２２３がレール２０８上のラック２０８ｂの上を転がることになるため、この歯車２２３と噛み合うラック２２２ｃを有する高速板２２２が低速板２０９の２倍の速さで背面側へ移動し、低速板２０９の２倍の距離を移動する。カセットホルダ２２４のガイドローラ２２８，２２９は、傾斜溝２２２ｄ，２２２ｅの上端の位置を占めながらガイド孔２１１，２１０の水平部に沿って図２４の位置から図２５の位置まで移動したあと、傾斜溝２２２ｄ，２２２ｅの水平移動に伴ってガイド孔２１１，２１０の鉛直部に沿って図２６の位置まで押し下げられる。
【００９５】
カセットホルダ２２４が降下する際に、リッド開閉手段２０５が作用する。即ち、図２５に示すように押圧部材２５６の先端がリッドオープナー２５１のテーパ面２５５に当接してからカセットホルダ２２４が降下することから、図示しないバネの付勢力に抗して図４に示すリッドオープナー２５１が相対的に上方へ回動され、リッドオープナー２５１の係合部２５１ａがカセットテープのリッド６ｃに係合してリッド６ｃを上方へ開く。カセットホルダ２２４が図２６のように下端まで降下すると、前述したフォトインタラプタ等の作用により移送モータ２１３が停止する。
【００９６】
尚図２７はカセットテープが記録・再生部に入っている状態を表している。その後は記録・再生部において、一対のリール台２１を正確にＬ，Ｍ，Ｓ位置に保持させること、カセットテープを支持手段７によって支持し、リールロック解除すること、ローディングおよび記録、再生等が行われる。
【００９７】
またカセットテープの取り出し時は、テープ６ｉがリール６ａ，６ｂに巻回されたことが検出されたあと、カセットコンパートメント２の上部の移送モータ２１３が前記とは反対の方向へ回転し、カセットテープは前記とは反対に記録・再生位置から挿脱位置へ移送される。
【００９８】
【発明の効果】
以上の説明からわかるように、本発明の記録・再生装置におけるカセットテープ判別機構は、極めて簡単な構成により３種類のカセットテープを判別することができる。
【０１０３】
さらに上記のことから、各機構の必要とする面積が小さくなり記録・再生装置を小型化することができる。
【図面の簡単な説明】
【図１】本発明の実施形態例の記録、再生部の全体斜視図。
【図２】本発明の実施形態例の記録、再生部の平面図。
【図３】本発明の実施形態例の移送部の斜視図。
【図４】本発明の実施形態例の移送部の分解斜視図。
【図５】カセットテープに係り、Ｌ，，Ｍ，Ｓカセットテープの背面図。
【図６】カセットテープに係り、Ｌ，，Ｍ，Ｓカセットテープの正面図。
【図７】本発明の実施形態例の誤挿入防止機構の平面図。
【図８】本発明の実施形態例の誤挿入防止機構の要部説明図。
【図９】本発明の実施形態例の誤挿入防止機構の他の例の平面図。
【図１０】本発明の実施形態例の誤挿入防止機構の説明図。
【図１１】本発明の実施形態例のリッドロック解除手段の要部底面図。
【図１２】本発明の実施形態例のリッドロック解除手段の説明図。
【図１３】カセットテープの側面図。
【図１４】本発明の実施形態例のカセットテープ判別手段の説明図。
【図１５】本発明の実施形態例のカセットテープ判別手段の要部説明図。
【図１６】本発明の実施形態例のカセットテープ判別手段の要部斜視図。
【図１７】本発明の実施形態例のカセットイン検出手段の分解斜視図。
【図１８】本発明の実施形態例のカセットイン検出手段の説明図。
【図１９】本発明の実施形態例のカセットイン検出手段の原理説明図。
【図２０】本発明の実施形態例のカセットクランプの機構の説明図。
【図２１】本発明の実施形態例のカセットクランプの機構の説明図。
【図２２】本発明の実施形態例の移送ユニットの要部平面図。
【図２３】本発明の実施形態例の移送ユニットの要部側面図。
【図２４】本発明の実施形態例の移送ユニットの要部側面図。
【図２５】本発明の実施形態例の移送ユニットの要部側面図。
【図２６】本発明の実施形態例の移送ユニットの要部側面図。
【図２７】本発明の実施形態例の記録、再生部の説明図。
【符号の説明】
１…記録・再生部、２…移送部、３…Ｌカセットテープ、４…Ｍカセットテープ、５…Ｓカセットテープ、２００…移送ユニット、２０１…挿入ガイド手段（誤挿入防止機構）、２０２…リッドロック解除手段、２０３…カセットテープ判別手段、２０４…カセットイン検出手段、２０５…リッド開閉手段。
【図１】
0004147681.tif 000002
【図２】
0004147681.tif 000003
【図３】
0004147681.tif 000004
【図４】
0004147681.tif 000005
【図５】
0004147681.tif 000006
【図６】
0004147681.tif 000007
【図７】
0004147681.tif 000008
【図８】
0004147681.tif 000009
【図９】
0004147681.tif 000010
【図１０】
0004147681.tif 000011
【図１１】
0004147681.tif 000012
【図１２】
0004147681.tif 000013
【図１３】
0004147681.tif 000014
【図１４】
0004147681.tif 000015
【図１５】
0004147681.tif 000016
【図１６】
0004147681.tif 000017
【図１７】
0004147681.tif 000018
【図１８】
0004147681.tif 000019
【図１９】
0004147681.tif 000020
【図２０】
0004147681.tif 000021
【図２１】
0004147681.tif 000022
【図２２】
0004147681.tif 000023
【図２３】
0004147681.tif 000024
【図２４】
0004147681.tif 000025
【図２５】
0004147681.tif 000026
【図２６】
0004147681.tif 000027
【図２７】
0004147681.tif 000028